(57)【特許請求の範囲】
【請求項１】
第１回転軸11および第２回転軸12が所定間隔をおいて互いに平行に配置されており、第１回転軸11に複数のローラ21〜25が取付られるとともに、これと同数のローラ36〜40が第２回転軸12に取付られ、第１回転軸11において、一端から数えて、奇数番目のローラ21、23、25が第１回転軸11に対して固定されるとともに、偶数番目のローラ22、24が第１回転軸11に対して回転自在とされ、第２回転軸12において、同端から数えて、奇数番目のローラ36、38、40が第２回転軸に対して回転自在とされるとともに、偶数番目のローラ37、39が第２回転軸12に対して固定され、同端から数えて、第１回転軸11および第２回転軸12の同数番目のローラ21〜25、36〜40に順次ベルト51〜55が巻掛られ、第１回転軸11および第２回転軸12が互いに異なる速度で駆動されるようになされているベルトコンベヤ。
【請求項２】
１つの駆動軸101および２つの従動軸111、112が隣り合うもの同士所定間隔をおいて互いに平行に配置されており、駆動軸101に、大径駆動ローラ122、124および小径駆動ローラ121、123、125が一端から他端にかけて交互にそれぞれ固定されており、大径駆動ローラ122、124および小径駆動ローラ121、123、125を合わせた数ずつの従動ローラ131〜135が、両従動軸111、112にそれぞれ取付けられており、大径駆動ローラ122、124および小径駆動ローラ121、123、125と、従動ローラ131〜135との対応するもの同士にベルト141〜145がそれぞれ巻掛られているベルトコンベヤ。
【発明の詳細な説明】
【０００１】
【発明の属する技術分野】
この発明は、ベルトコンベヤ、とくに、容器包装リサイクルの分野において、回収した使用済みプラスチックボトルを、材質識別のために縦１列に整列しながら搬送するベルトコンベヤに関する。
【０００２】
【従来の技術】
この種のベルトコンベヤとしては、複数のベルトが並列状に配置されており、これらのベルトの隣り合うもの同士異なる速度で移動させられるように各ベルトが個別にモータによって駆動されるようになされてるものが知られている。
【０００３】
【発明が解決しようとする課題】
上記ベルトコンベヤでは、ベルトの数と同数のモータを必要とする。そのため、設備費が高価につくという問題点があった。
【０００４】
この発明の目的は、プラスチックボトルの材質識別のために縦１列に整列しながら搬送するのに適した設備費の安価なベルトコンベヤを提供することにある。
【０００５】
【発明が解決しようとする課題】
この発明によるベルトコンベヤは、第１回転軸および第２回転軸が所定間隔をおいて互いに平行に配置されており、第１回転軸に複数のローラが取付られるとともに、これと同数のローラが第２回転軸に取付られ、第１回転軸において、一端から数えて、奇数番目のローラが第１回転軸に対して固定されるとともに、偶数番目のローラが第１回転軸に対して回転自在とされ、第２回転軸において、同端から数えて、奇数番目のローラが第２回転軸に対して回転自在とされるとともに、偶数番目のローラが第２回転軸に対して固定され、同端から数えて、第１回転軸および第２回転軸の同数番目のローラに順次ベルトが巻掛られ、第１回転軸および第２回転軸が互いに異なる速度で駆動されるようになされているものである。
【０００６】
この発明によるベルトコンベヤでは、第１回転軸および第２回転軸を異なる速度で駆動すると、第１回転軸および第２回転軸にそれぞれ固定されたローラに巻掛けられたベルトが異なる速度で移動させられる。したがって、第１回転軸および第２回転軸を、例えば、２つのモータで駆動することが可能であり、ベルトの数の如何に関わり無く、コンベヤを最低２つのモータで駆動することが可能であり、安価なコンベヤが提供される。
【０００７】
また、他の発明によるベルトコンベヤは、１つの駆動軸および２つの従動軸が隣り合うもの同士所定間隔をおいて互いに平行に配置されており、駆動軸に、大径駆動ローラおよび小径駆動ローラが一端から他端にかけて交互にそれぞれ固定されており、大径駆動ローラおよび小径駆動ローラを合わせた数ずつの従動ローラが、両従動軸にそれぞれ取付けられており、大径駆動ローラおよび小径駆動ローラと、従動ローラとの対応するもの同士にベルトがそれぞれ巻掛られているものである。
【０００８】
他の発明によるベルトコンベヤでは、駆動軸を駆動すると、大径駆動ローラおよび小径駆動ローラに巻掛られたベルトが異なる速度で移動させられる。したがって、駆動軸を、例えば、１つのモータで駆動することが可能であり、ベルトの数の如何に関わり無く、コンベヤを１つだけのモータで駆動することが可能であり、一層安価なコンベヤが提供される。
【０００９】
【発明の実施の形態】
この発明の実施の形態を図面を参照してつぎに説明する。
【００１０】
図１および図２を参照すると、ベルトコンベヤは、左右に所定間隔をおいて互いに平行に配置されている第１回転軸11および第２回転軸12を備えている。第１回転軸11および第２回転軸12は、支持部材13に軸受け14によってそれぞれ回転自在に支持されている。
【００１１】
第１回転軸11には、一端から他端にかけて、第１駆動ローラ21、第２従動ローラ22、第３駆動ローラ23、第４従動ローラ24および第５駆動ローラ25が順次取付られている。第１駆動ローラ21、第３駆動ローラ23および第５駆動ローラ25は、キー26によって第１回転軸11にそれぞれ固定されている。第２従動ローラ22および第４従動ローラ24は、軸受け27によって第１回転軸11にそれぞれ回転自在に支持されている。
【００１２】
第２回転軸12には、同じように、一端から他端にかけて、第６従動ローラ36、第７駆動ローラ37、第８従動ローラ38、第９駆動ローラ39および第１０従動ローラ40が順次取付られている。第６従動ローラ36、第８従動ローラ38および第１０従動ローラ40は、軸受け41によって第２回転軸12にそれぞれ回転自在に支持されている。第７駆動ローラ37および第９駆動ローラ39は、キー42によって第２回転軸12にそれぞれ固定されている。
【００１３】
第１駆動ローラ21および第６従動ローラ36に第１べルト51が、第２従動ローラ22および第７駆動ローラ37に第２べルト52が、第３駆動ローラ23および第８従動ローラ38に第３べルト53が、第４従動ローラ２４および第９駆動ローラ39に第４べルト54が、第５駆動ローラ25および第１０従動ローラ40に第５べルト55がそれぞれ巻掛られている。
【００１４】
第１回転軸11の一端に第１従動プーリ61が取付られるとともに、第２回転軸12の一端に第２従動プーリ62が取付られている。第１従動プーリ61と、第１モータ71の出力軸に取付られた第１駆動プーリ81に第１べルト91が巻掛られている。第２従動プーリ62と、第２モータ72の出力軸に取付られた第２駆動プーリ82に第２べルト92が巻掛られている。
【００１５】
第１モータ71は、高速で第１駆動プーリ81を駆動し、第２モータ71は、低速で第２駆動プーリ82を駆動する。そうすると、第１回転軸11が高速で駆動され、第２回転軸12が低速で駆動される。その結果、第１回転軸11に固定された第１駆動ローラ21、第３駆動ローラ23および第５駆動ローラ25に巻掛られた第１べルト51、第３べルト53および第５べルト55が高速で移動させられ、第２回転軸12に固定された第７駆動ローラ37および第９駆動ローラ39に巻掛られた第２べルト52および第４べルト54が低速で移動させられる。
【００１６】
図３および図４を参照すると、１つの駆動軸101と、これの上方レベルに左右に所定間隔をおいて互いに平行に配置されている第１従動軸111および第２従動軸112を備えている。これらの駆動軸101および両従動軸111、112は、支持部材113に軸受け114によって回転自在に支持されている。
【００１７】
駆動軸101には、一端から他端にかけて、第１小径駆動ローラ121、第２大径駆動ローラ122、第３小径駆動ローラ123、第４大径駆動ローラ124および第５小径駆動ローラ125がそれぞれキー126により固定されている。
【００１８】
第１従動軸111には、同じように、一端から他端にかけて、第１従動ローラ131、第２従動ローラ132、第３従動ローラ133、第４従動ローラ134および第５従動ローラ135が軸受け136によって回転自在に支持されている。第１〜第５従動ローラ131〜135の径は、同じである。詳しく図示しないが、第２従動軸112にも、第１従動軸111と同様に、第６〜第１０従動ローラが回転自在に支持されている。
【００１９】
第１小径駆動ローラ121、第１従動ローラ131および第６従動ローラに第１べルト141が、第２大径駆動ローラ122、第２従動ローラ132および第７従動ローラに第２べルト142が、第３小径駆動ローラ123、第３従動ローラ133および第８従動ローラに第３べルト143が、第４大径駆動ローラ124、第４従動ローラ134および第９従動ローラに第４べルト144が、第５小径駆動ローラ125、第５従動ローラ135および第１０従動ローラに第５べルト145がそれぞれ巻掛られている。
【００２０】
駆動軸101の一端に従動プーリ151が取付られている。従動プーリ151と、モータ152の出力軸に取付られた駆動プーリ153にベルト154が巻掛られている。
【００２１】
第１小径駆動ローラ121、第３小径駆動ローラ123および第５小径駆動ローラ125には一対の小径用絞りローラ161が備えられるとともに、第２大径駆動ローラ122および第４大径駆動ローラ124に一対の大径用絞りローラ162が備えられている。
【００２２】
モータ152によって駆動軸101を駆動すると、第１小径駆動ローラ121、第２大径駆動ローラ122、第３小径駆動ローラ123、第４大径駆動ローラ124および第５小径駆動ローラ125は、等速度で駆動されるが、大小径の差に基づくローラ周速度の相違により、第１小径駆動ローラ121、第３小径駆動ローラ123および第５小径駆動ローラ125にそれぞれ巻掛られた第１べルト141、第３べルト143および第５べルト145は低速で移動させられ、第２大径駆動ローラ122および第４大径駆動ローラ124にそれぞれ巻掛られた第２べルト142および第４べルト144は高速で移動させられる。
【００２３】
以上は、平ベルトコンベヤについて説明した。ボトルを縦一列に整列する場合、多条Ｖトラフコンベヤが最適であるが、これにも本発明は適用できる。
【００２４】
【発明の効果】
この発明によれば、プラスチックボトルの材質識別のために縦１列に整列しながら搬送するのに適した設備費の安価なベルトコンベヤが提供される。
【図面の簡単な説明】
【図１】この発明によるベルトコンベヤの側面図である。
【図２】図１のII−II線にそう拡大水平断面図である。
【図３】この発明による他のベルトコンベヤの側面図である。
【図４】図３のIV−IV線にそう拡大水平断面図である。
【符号の説明】
11  第１回転軸
12  第２回転軸
21〜25  ローラ
36〜40  ローラ
51〜55  ベルト
101  駆動軸
111、112  従動軸
121〜125  ローラ
131〜135  ローラ
141〜145  ベルト
【図１】
0003845768.tif 000002
【図２】
0003845768.tif 000003
【図３】
0003845768.tif 000004
【図４】
0003845768.tif 000005